(57)【要約】【課題】本発明は、ブロックの保水が持続でき、かつ透水性舗装の機能を有する吸水型保水性ブロック舗装システムを提供することにある。【解決手段】保水が持続し、透水性舗装の機能を有する吸水型保水性ブロック舗装システムとして、導水タンク又は導水パイプ又は導水ホースに接続する導水シートが吸水型保水性ブロック又は吸水型透水性ブロックの下面に縞状に敷設され、空目地ないしは２号又は３号珪砂目地であり、ないしは一部に透水性ブロックが敷設されていて、導水シートの毛細現象、サイホン又は水頭差により導水タンク又は導水パイプ又は導水ホースから導水シートに給水され、その水が毛細現象によってブロックに吸水され、雨水は、目地ないしは透水性のブロックより浸透して、導水シートが敷設されていない個所を通して路盤に浸透することにより、保水が持続し、透水性舗装の機能を有する吸水型保水性ブロック舗装システムを構成している。【選択図】  図２
2004204446.tif 000002
【特許請求の範囲】
【請求項１】
路盤層を形成した後、該路盤層の上にサンドクッション層を形成する路盤形成工程とこの路盤形成後にサンドクッション層の上部に外部からの水をブロックの底面に給水するための導水シートを敷設し、導水シートの上に毛細現象で水を吸水する吸水型保水性ブロックないしは吸水型透水性ブロックを敷設する吸水型保水性ブロック舗装において、導水シートが間隔を開けながら縞状に敷設されることを特徴とする吸水型保水性ブロック舗装システム。
【請求項２】
路盤層を形成した後、該路盤層の上にサンドクッション層を形成する路盤形成工程とこの路盤形成後にサンドクッション層の上部に外部からの水をブロックの底面に給水するための導水シートが間隔を開けながら縞状に敷設され、導水シートの上に毛細現象で水を吸水する吸水型保水性ブロックないしは吸水型透水性ブロックを敷設する吸水型保水性ブロック舗装において、吸水型保水性ブロックの一部に透水性ブロックを混ぜて施工することを特徴とする吸水型保水性ブロック舗装システム。
【請求項３】
路盤層を形成した後、該路盤層の上にサンドクッション層を形成する路盤形成工程とこの路盤形成後にサンドクッション層の上部に外部からの水をブロックの底面に給水するための導水シートが間隔を開けながら縞状に敷設され、導水シートの上に毛細現象で水を吸水する吸水型保水性ブロックないしは吸水型透水性ブロックを敷設する吸水型保水性ブロック舗装において、ないしは吸水型保水性ブロックと透水性ブロックを混ぜて施工する吸水型保水性ブロック舗装において、目地砂を使用しない空目地とするかないしは２号珪砂ないしは３号珪砂を使用することを特徴とする吸水型保水性ブロック舗装システム。
【請求項４】
路盤層を形成した後、該路盤層の上にサンドクッション層を形成する路盤形成工程とこの路盤形成後にサンドクッション層の上部に外部からの水をブロックの底面に給水するための導水シートが間隔を開けながら縞状に敷設され、導水シートの上に毛細現象で水を吸水する吸水型保水性ブロックないしは吸水型透水性ブロックないしは吸水型保水性ブロックと透水性ブロックを混ぜて敷設され、目地砂を使用しない空目地とするかないしは２号珪砂ないしは３号珪砂を使用する吸水型保水性ブロック舗装において、導水タンクまたは導水パイプまたは導水ホースに導水シートを接続して、導水シートの毛細現象ないしはサイホンないしは水頭差を利用して導水タンクまたは導水パイプまたは導水ホースの水を導水シートに給水することを特徴とする吸水型保水性ブロック舗装システム。
【請求項５】
複数の孔明きの導水パイプまたは複数の孔明きの導水ホースを用い、導水パイプまたは導水ホースの複数の孔の一部の孔をテープなどを用いて塞いで、導水パイプまたは導水ホースから導水シートに流入する水の量を調節することを特徴とする請求項１および請求項２および請求項３および請求項４の吸水型保水性ブロック舗装システム。
【請求項６】
導水タンクないしは導水パイプないしは導水ホースから導水シートに供給された水で、ブロックに吸水されない余剰水を集めて導水タンクないしは導水パイプないしは導水ホースへリターンして使用することを特徴とする請求項１および請求項２および請求項３および請求項４および５の吸水型保水性ブロック舗装システム。
【発明の詳細な説明】
【０００１】
【発明が属する技術分野】
本発明は、吸水型保水性ブロック舗装システムに関する。
【０００２】
【従来の技術】
従来の保水性ブロック舗装は、保水性のブロックを用いて、雨水をブロックに保水させる舗装方法が使用されている。
【０００３】
【発明が解決しようとする課題】
保水性ブロック舗装は、歩道又は歩車兼用道路において、雨水を一旦ブロック表層に保水し、保水した水が蒸発するときの気化熱を利用して周辺温度の低下を図り、ヒートアイランドの緩和対策を目的とした舗装である。従来の保水性ブロック舗装には，保水した水がすぐに蒸発してしまい持続的な保水ができないこと、および保水性ブロック舗装は、透水性能が低く透水性舗装としての機能、すなわちブロック表面の水溜りの防止（バリアフリー対策）ができない、雨水を貯留する能力が低く、雨水を一時貯留する（都市河川負担軽減対策）ことができないなどの問題を有している。
【０００４】
本発明は以上のような従来の欠点に鑑み、持続的な保水あるいは保水期間の長い保水性ブロック舗装の提供と透水性舗装の機能をも併せて備える吸水型保水性ブロック舗装システムを提供することを目的としている。
【０００５】
本発明の前記ならびにそのほかの目的と新規な特長は次の説明を添付図面と照らし合わせて読むとより完全に明らかになるであろう。ただし、図面はもっぱら解説のためのものであって、本発明の技術的範囲を限定するものではない。
【０００６】
【課題を解決するための手段】
上記の目的を解決するために、即ち、長期間あるいは持続的な保水が可能な吸水型保水性ブロック舗装、および吸水型保水性ブロック舗装と同時に透水性機能を備えた吸水型保水性ブロック舗装を提供するシステムとして、吸水型保水性ブロックないしは吸水型透水性ブロックの底面に導水シートを所定の間隔で縞状に敷設し，導水シートを導水タンクまたは導水パイプまたは導水ホースに接続し、目地を目地砂を用いない空目地ないしは２号珪砂ないしは３号珪砂を詰めた目地とし、また部分的に透水性ブロックを使用し、雨水は、吸水型透水性ブロックないしは目地ないしは部分的に敷設された透水性ブロックから浸透し、導水シートが敷かれていないブロックの下面からサンドクッションを通して路盤に浸透し、導水タンクまたは導水パイプまたは導水ホースの水は、毛細現象ないしはサイホンないしは水頭差により導水シートにゆっくりと導かれ、導水シートの水は吸水型保水性ブロックないしは吸水型透水性ブロックの毛細現象によりブロックに供給される、ブロックの保水が長期間持続し、かつ透水性ブロック舗装の機能も併せて保有する吸水型保水性ブロック舗装システムを構成している。
【０００７】
【発明の実施の形態】
以下、図面に示す実施の形態により、本発明を詳細に説明する。
【０００８】
図１は、従来の保水性ブロック舗装を説明する図である。従来の保水性舗装は、路盤１１の上に透水シート１２が敷かれ、その上にサンドクッション１３が敷きならされ、その上に保水性ブロック１５が敷設され、目地１８に目地砂が詰められる。雨水１１９は、保水性ブロック１５の内部に間隙保水１１９２として蓄えられ、ブロックに蓄えられた間隙保水１１９２が蒸発１１８するときの気化熱を利用して周辺温度を低下させることを目的としいる。またこのとき余分な雨水は表面排水１１９１される。従来の保水性ブロック舗装は、雨水を路盤に浸透させてブロック表面の水溜まりを防ぐ機能および路盤に雨水を浸透させて一時的に貯水して都市河川の負担低減を図る透水性舗装としての機能がないことおよび保水性ブロックの保水量は１〜２日分の蒸発量しかなく極めて短期に保水性舗装としての機能が失われる等の問題を有している。
【０００９】
図２は、本発明の吸水型保水性ブロック舗装システムの一例である。図２（ａ）は、平面図を、図２（ｂ）は吸水ルート２１０の断面図を、図２（ｃ）は透水ルート２１１の断面図を、図２（ｄ）は導水パイプ２９の断面図を、図２（ｅ）は導水パイプ２９への給水を示す。路盤２１の上に透水シート２２が敷かれ、その上にサンドクッション２３が敷き均され、その上に導水シート２４が間隔を開けて縞状に敷設され、その上に吸水型保水性ブロック２５と透水性ブロック２６が敷設される。導水シート２４は境界ブロック２２２に沿って埋め込まれた導水パイプ２９の導水孔２９１のある個所に巻きつけられる。地下水の水２１２は揚水パイプ２１３を通してポンプ２１５によってくみ上げられ導水パイプ２９に給水される。ポンプ２１５はたとえば太陽電池２１４で稼動する。本発明の吸水型保水性ブロック舗装システムにおけるブロックへの水は次に示す方法で補給される。ポンプ２１５で地下水２１２をくみ上げられた導水パイプ２９の水は、導水パイプ２９の導水孔２９１を通して導水シート２４に接する。導水シート２４の毛細現象ないしはサイホンないしは水頭差の自然の力により、導水パイプ２９の水はゆっくりと吸水型保水性ブロック２５の底面に導水２１６され、ブロック底面の水は吸水型保水性ブロック２５の毛細現象により吸水２１７され、ブロック表面において蒸発２１８する。ブロック表面の水が蒸発２１８する時の気化熱によって周辺の温度が低下し、ヒートアイランド緩和対策としてのブロックの保水が長期間連続的に持続する吸水型保水性ブロック舗装が得られる。一方、雨水２１９は、次に示す方法で地中に浸透する。吸水ルート２１０の雨水は、強化板２７等によってできる目地砂を使用しない空目地ないしは２号または３号珪砂の目地２８を経由２２１して導水シート２４が敷設されていない透水ルート２１１を通して路盤２１へ浸透２２０する。透水ルート２１１の雨水２１９は、透水性ブロック２６を経由して直接路盤２１に浸透する。これにより、水溜りが生じないバリアフリーな舗装および路盤に一時的に雨水を貯溜して都市河川の負担を軽減する透水性ブロック舗装としての機能が得られる。本発明の吸水型保水性ブロック舗装システムは、透水性舗装の機能を備えた長期期間保水を持続する吸水型保水性ブロック舗装を提供する。
【００１０】
図３は、本発明の吸水型保水性ブロック舗装システムの別の例である。図３（ａ）は、平面図を、図３（ｂ）は断面図を、図３（ｃ）は導水ルート３１０の断面図を、図３（ｄ）は導水パイプ３９への給水を示す。路盤３１の上に透水シート３２が敷かれ、その上にサンドクッション３３が敷き均され、その上に導水シート３４が間隔を開けて縞状に敷設され、その上に吸水型保水性ブロック３５と透水性ブロック３６が敷設される。導水シート３４は導水パイプ３９の導水孔３９１のある個所に巻きつけられる。地下水の水３１２は揚水パイプ３１３を通してポンプ３１５によってくみ上げられ導水パイプ３９に給水される。ポンプ３１５はたとえば太陽電池３１４で稼動する。本発明の吸水型保水性ブロック舗装システムにおけるブロックへの水は次に示す方法で補給される。ポンプ３１５で地下水３１２をくみ上げられた導水パイプ３９の水は、導水パイプ３９の導水孔３９１を通して導水シート３４に接する。導水シート３４の毛細現象ないしはサイホンないしは水頭差の自然の力により、導水パイプ３９の水はゆっくりと吸水型保水性ブロック３５の底面に導水３１６され、ブロック底面の水は吸水型保水性ブロック３５の毛細現象により吸水３１７され、ブロック表面において蒸発３１８する。ブロック表面の水が蒸発３１８する時の気化熱によって周辺の温度が低下し、ヒートアイランド緩和対策としてのブロックの保水が長期間連続的に持続する吸水型保水性ブロック舗装が得られる。一方、雨水３１９は、次に示す方法で地中に浸透する。吸水ルート３１０の雨水は、強化板３７等によってできる目地砂を使用しない空目地ないしは２号または３号珪砂の目地３８を経由３２１して導水シート３４が敷設されていない透水ルート３１１を通して路盤３１へ浸透３２０する。透水ルート３１１の雨水３１９は、透水性ブロック３６を経由して直接路盤３１に浸透する。これにより、水溜りが生じないバリアフリーな舗装および路盤に一時的に雨水を貯溜して都市河川の負担を軽減する透水性ブロック舗装としての機能が得られる。本発明の吸水型保水性ブロック舗装システムは、透水性舗装の機能を備えた長期期間保水を持続する吸水型保水性ブロック舗装を提供する。
【００１１】
図４は、本発明の吸水型保水性ブロック舗装システムの別の例である。図４（ａ）は、平面図を、図４（ｂ）は吸水ルート４１０の断面図を、図４（ｃ）は透水ルート４１１の断面図を、図４（ｄ）は導水パイプ４９の断面図を、図４（ｅ）は導水パイプ４９への給水を示す。路盤４１の上に透水シート４２が敷かれ、その上にサンドクッション４３が敷き均され、その上に導水シート４４が間隔を開けて縞状に敷設され、その上に吸水型保水性ブロック４５と透水性ブロック４６が敷設される。この場合透水性ブロック４６は吸水ルート４１０および透水ルート４１１に交差して敷設される。導水シート４４は境界ブロック４２２に沿って埋め込まれた導水パイプ４９の導水孔４９１のある個所に巻きつけられる。地下水の水４１２は揚水パイプ４１３を通してポンプ４１５によってくみ上げられ導水パイプ４９に給水される。ポンプ４１５はたとえば太陽電池４１４で稼動する。本発明の吸水型保水性ブロック舗装システムにおけるブロックへの水は次に示す方法で補給される。ポンプ４１５で地下水４１２をくみ上げられた導水パイプ４９の水は、導水パイプ４９の導水孔４９１を通して導水シート４４に接する。導水シート４４の毛細現象ないしはサイホンないしは水頭差の自然の力により、導水パイプ４９の水はゆっくりと吸水型保水性ブロック４５の底面に導水４１６され、ブロック底面の水は吸水型保水性ブロック４５の毛細現象により吸水４１７され、ブロック表面において蒸発４１８する。ブロック表面の水が蒸発４１８する時の気化熱によって周辺の温度が低下し、ヒートアイランド緩和対策としてのブロックの保水が長期間連続的に持続する吸水型保水性ブロック舗装が得られる。一方、雨水４１９は、次に示す方法で地中に浸透する。吸水ルート４１０の雨水は、強化板４７等によってできる目地砂を使用しない空目地ないしは２号または３号珪砂の目地４８を経由４２１して導水シート４４が敷設されていない透水ルート４１１を通して路盤４１へ浸透４２０する。または、吸水ルート上に敷設された透水性ブロック４６を通して透水ルート４１１に導かれて路盤に浸透４２０する。透水ルート４１１の雨水４１９は、透水性ブロック４６を経由して直接路盤２１に浸透する。または、透水ルート４１１上の吸水型保水性ブロック４５上の雨水４１９は、強化板４７等によってできる目地砂を使用しない空目地ないしは２号または３号珪砂の目地４８を経由４２１して導水シート４４が敷設されていない透水ルート４１１を通して路盤４１へ浸透４２０する。これにより、水溜りが生じないバリアフリーな舗装および路盤に一時的に雨水を貯溜して都市河川の負担を軽減する透水性ブロック舗装としての機能が得られる。本発明の吸水型保水性ブロック舗装システムは、透水性舗装の機能を備えた長期期間保水を持続する吸水型保水性ブロック舗装を提供する。
【００１２】
図５は、本発明の吸水型保水性ブロック舗装システムの別の例である。図５（ａ）は、平面図を、図５（ｂ）は吸水ルート５１０の断面図を、図５（ｃ）は透水ルート５１１の断面図を、図５（ｄ）は導水パイプ５９の断面図を、図５（ｅ）は導水パイプ５９への給水を示す。路盤５１の上に透水シート５２が敷かれ、その上にサンドクッション５３が敷き均され、その上に導水シート５４が間隔を開けて縞状に敷設され、その上に吸水型保水性ブロック５５と透水性ブロック５６が敷設される。導水シート５４は境界ブロック５２２に沿ってサンドクッション５３上に埋め込まれた導水パイプ５９の導水孔５９１のある個所に巻きつけられ、導水シート５４のエンドは反対側の境界ブロック５２４に沿ってサンドクッション５３上に埋め込まれた集水パイプ５２３に巻きつけられる。地下水の水５１２は揚水パイプ５１３を通してポンプ５１５によってくみ上げられ導水パイプ５９に給水される。ポンプ５１５はたとえば太陽電池５１４で稼動する。本発明の吸水型保水性ブロック舗装システムにおけるブロックへの水は次に示す方法で補給される。ポンプ５１５で地下水５１２をくみ上げられた導水パイプ５９の水は、導水パイプ５９の導水孔５９１を通して導水シート５４に接する。導水シート５４の毛細現象ないしはサイホンないしは水頭差の自然の力により、特にこの場合はサイホンの原理により、導水パイプ５９の水はゆっくりと、導水パイプ５９の水位と集水パイプ５２３の水位が一定になるまで，吸水型保水性ブロック５５の底面に導水５１６され、ブロック底面の水は吸水型保水性ブロック５５の毛細現象により吸水５１７され、ブロック表面において蒸発５１８する。ブロック表面の水が蒸発５１８する時の気化熱によって周辺の温度が低下し、ヒートアイランド緩和対策としてのブロックの保水が長期間連続的に持続する吸水型保水性ブロック舗装が得られる。一方、雨水５１９は、次に示す方法で地中に浸透する。吸水ルート５１０の雨水は、強化板５７等によってできる目地砂を使用しない空目地ないしは２号または３号珪砂の目地５８を経由５２１して導水シート５４が敷設されていない透水ルート５１１を通して路盤５１へ浸透５２０する。透水ルート５１１の雨水５１９は、透水性ブロック５６を経由して直接路盤５１に浸透する。これにより、水溜りが生じないバリアフリーな舗装および路盤に一時的に雨水を貯溜して都市河川の負担を軽減する透水性ブロック舗装としての機能が得られる。本発明の吸水型保水性ブロック舗装システムは、透水性舗装の機能を備えた長期期間保水を持続する吸水型保水性ブロック舗装を提供する。
【００１３】
図６は、本発明の吸水型保水性ブロック舗装システムの別の例である。図６（ａ）は、平面図を、図６（ｂ）は吸水ルート６１０の断面図を、図６（ｃ）は透水ルート６１１の断面図を、図６（ｄ）は導水パイプ６９の断面図を、図６（ｅ）は導水パイプ６９への給水を示す。路盤６１の上に透水シート６２が敷かれ、その上にサンドクッション６３が敷き均され、その上に導水シート６４が間隔を開けて縞状に敷設され、その上に吸水型透水性ブロック６５１が敷設される。導水シート６４は境界ブロック６２２に沿って埋め込まれた導水パイプ６９の導水孔６９１のある個所に巻きつけられる。地下水の水６１２は揚水パイプ６１３を通してポンプ６１５によってくみ上げられ導水パイプ６９に給水される。ポンプはたとえば太陽電池６１４で稼動する。本発明の吸水型保水性ブロック舗装システムにおけるブロックへの水は次に示す方法で補給される。ポンプ６１５で地下水６１２をくみ上げられた導水パイプ６９の水は、導水パイプ６９の導水孔６９１を通して導水シート６４に接する。導水シート６４の毛細現象ないしはサイホンないしは水頭差の自然の力により、導水パイプ６９の水はゆっくりと吸水型透水性ブロック６５１の底面に導水６１６され、ブロック底面の水は吸水型透水性ブロック６５１の毛細現象により吸水６１７され、ブロック表面において蒸発６１８する。ブロック表面の水が蒸発６１８する時の気化熱によって周辺の温度が低下し、ヒートアイランド緩和対策としてのブロックの保水が長期間連続的に持続する吸水型保水性ブロック舗装が得られる。一方、雨水６１９は、次に示す方法で地中に浸透する。吸水ルート６１０の雨水は、強化板６７等によってできる目地砂を使用しない空目地ないしは２号または３号珪砂の目地６８を経由６２１して導水シート６４が敷設されていない透水ルート６１１を通して路盤６１へ浸透６２０する。透水ルート６１１の雨水６１９は、透水性ブロック６６を経由して直接路盤６１に浸透する。導水シート６４の水において吸水型保水性ブロック６５に吸水されない余剰水は、集水パイプ６２３等に集められ、リターンホース６２４等により再度導水パイプへリターンされる。これにより、水溜りが生じないバリアフリーな舗装および路盤に一時的に雨水を貯溜して都市河川の負担を軽減する透水性ブロック舗装としての機能が得られる。本発明の吸水型保水性ブロック舗装システムは、透水性舗装の機能を備えた長期期間保水を持続する吸水型保水性ブロック舗装を提供する。
【００１４】
図７は、本発明の吸水型保水性ブロック舗装システムの別の例である。図７（ａ）は、平面図を、図７（ｂ）は断面図を、図７（ｃ）は吸水ルート７１０の断面図を、図５（ｄ）は導水タンク７９への給水を示す。路盤７１の上に透水シート７２が敷かれ、その上にサンドクッション７３が敷き均され、その上に導水シート７４が間隔を開けて縞状に敷設され、その上に吸水型保水性ブロック７５と透水性ブロック７６が敷設される。導水シート７４は歩道の横断方向に沿って埋め込まれた導水タンク７９に差し込まれる。地下水の水７１２は揚水パイプ７１３を通してポンプ７１５によってくみ上げられ導水タンク７９に給水される。ポンプはたとえば太陽電池７１４で稼動する。本発明の吸水型保水性ブロック舗装システムにおけるブロックへの水は次に示す方法で補給される。ポンプ７１５で地下水７１２をくみ上げられた導水タンク７９の水は、導水シート７４の毛細現象ないしはサイホンないしは水頭差の自然の力により、導水タンク７９の水はゆっくりと、吸水型保水性ブロック７５の底面に導水７１６され、ブロック底面の水は吸水型保水性ブロック７５の毛細現象により吸水７１７され、ブロック表面において蒸発７１８する。ブロック表面の水が蒸発７１８する時の気化熱によって周辺の温度が低下し、ヒートアイランド緩和対策としてのブロックの保水が長期間連続的に持続する吸水型保水性ブロック舗装が得られる。一方、雨水７１９は、次に示す方法で地中に浸透する。吸水ルート７１０の雨水は、強化板７７等によってできる目地砂を使用しない空目地ないしは２号または３号珪砂の目地７８を経由７２１して導水シート７４が敷設されていない透水ルート７１１を通して路盤７１へ浸透７２０する。透水ルート７１１の雨水７１９は、透水性ブロック７６を経由して直接路盤７１に浸透する。これにより、水溜りが生じないバリアフリーな舗装および路盤に一時的に雨水を貯溜して都市河川の負担を軽減する透水性ブロック舗装としての機能が得られる。本発明の吸水型保水性ブロック舗装システムは、透水性舗装の機能を備えた長期期間保水を持続する吸水型保水性ブロック舗装を提供する。
【００１５】
図８は、導水パイプないしは導水ホース８９から導水シートへの流出水８２５、８２６の調整方法を示す図である。図８（ａ）および図８（ｃ）は、流出水調整前の導水パイプないしは導水ホース８９を、図８（ｂ）および図８（ｄ）は、流出水調整後の導水パイプないしは導水ホース８９を示す図である。流出水の調節は、導水シートの長さによってブロック底面への給水量を調整する場合に実施される。図８（ａ）において、導水パイプないしは導水ホース８９の水８２７の流出水８２５を調整する場合は、図８（ｂ）に示すテープないしはリング８２８等を用いて導水孔８９１を調整して実施される。図８（ｃ）において、導水パイプないしは導水ホース８９の水８２７の流出水８２６を調整する場合は、図８（ｄ）に示すテープないしはリング８２８等を用いて導水溝８９２を調整して実施される。本発明の吸水型保水性ブロック舗装システムは、導水シートへの流出水の調整が可能な、透水性舗装の機能を備えた長期期間保水を持続する吸水型保水性ブロック舗装を提供する。
【発明の効果】
以上の説明から明らかなように、本発明にあたっては次に列挙する効果が得られる。
【００１６】
導水タンクないしは導水パイプないしは導水ホースに接続する導水シートが毛細現象機能を有する吸水型保水性ブロックないしは吸水型透水性ブロックの下面に所定の間隔で縞状に敷設され、目地が目地砂を使用しない空目地ないしは２号珪砂ないしは３号珪砂であり、また部分的に透水性ブロックが敷設された吸水型保水性ブロック舗装システムからなるので、導水タンクないしは導水パイプないしは導水ホースの水は、導水シートの毛細現象およびサイホンの原理ないしは水頭差によってブロック下面に敷かれている導水シートに緩やかに補給され、導水シートの水は吸水型保水性ブロックないしは吸水型透水性ブロックの毛細現象によってブロックに移管され、ブロック中の水は蒸発してそのときの気化熱により周辺温度の低下を図り、長期間保水性を維持する吸水型保水性ブロック舗装が得られる。このとき、導水タンクないしは導水パイプないしは導水ホースへの給水設備も併せて設置することにより継続的な吸水型保水性ブロック舗装が得られる。一方雨水は、吸水型保水性ブロックないしは吸水型透水性ブロックに浸透し、余分な雨水は、目地砂を使用しない空目地ないしは２号珪砂ないしは３号珪砂からなる目地、ないしは部分的に敷設された透水性ブロックから浸透し、ブロック底面に導水シートが敷かれていない個所を通して路盤に浸透し、ブロック舗装面の水溜まりを防ぎ、路盤に雨水を一時貯留して都市河川の負担を軽減する透水性ブロック舗装としての機能を発揮する。これにより、本発明の吸水型保水性ブロック舗装システムは、透水性舗装の機能を備えた保水時間が長時間持続または継続する吸水型保水性ブロック舗装を提供し、ヒートアイランドの緩和、水溜まりの起きないバリアフリーな舗装の提供および雨水の一時貯留による都市河川の負担低減に効果を示す。
【図面の簡単な説明】
【図１】従来の保水性ブロック舗装構造の説明図。
【図２】本発明の吸水型保水性ブロック舗装システムの説明図。
【図３】本発明の吸水型保水性ブロック舗装システムの説明図。
【図４】本発明の吸水型保水性ブロック舗装システムの説明図。
【図５】本発明の吸水型保水性ブロック舗装システムの説明図。
【図６】本発明の吸水型保水性ブロック舗装システムの説明図。
【図７】本発明の吸水型保水性ブロック舗装システムの説明図。
【図８】導水パイプないしは導水ホースからの流出水の調節方法の説明図。
【符号の説明】
１１、２１、３１、４１、５１、６１、７１、路盤
１２、２２、３２、４２、５２、６２、７２、透水シート
１３、２３、３３、４３、５３、６３、７３、サンドクッション
２４、３４、４４、５４、６４、７４、導水シート
１５、保水性ブロック
２５、３５、４５、５５、６５、７５、吸水型保水性ブロック
６５１、吸水型透水性ブロック
２６、３６、４６、５６、７６、透水性ブロック
１８、２８、３８、４８、５８、６８、７８、目地
２９、３９、４９、５９、６９、導水パイプないしは導水ホース
２９１、３９１、４９１、５９１、６９１、８９１、導水孔
８９２、導水溝
７９、導水タンク
２１０、３１０、４１０、５１０、６１０、７１０、吸水ルート
２１１、３１１、４１１、５１１、６１１、７１１、透水ルート
２１２、３１２、４１２、５１２、６１２、７１２、地下水
２１３、３１３、４１３、５１３、６１３、７１３、揚水パイプ
２１４、３１４、４１４、５１４、６１４、７１４、大陽電池
２１５、３１５、４１５、５１５、６１５、７１５、ポンプ
２１６、３１６、４１６、５１６、６１６、７１６、導水
２１７、３１７、４１７、５１７、６１７、７１７、吸水
１１８、２１８、３１８、４１８、５１８、６１８、７１８、蒸発
１１９、２１９、３１９、４１９、５１９、６１９、７１９、雨水
１１９１、表面排水
１１９２、間隙保水
２２０、３２０、４２０、５２０、６２０、７２０、浸透
２２１、３２１、４２１、５２１、６２１、７２１、雨水の流れ
２２２、４２２、５２２、５２４、６２２、境界ブロック
５２３、６２３、集水パイプまたはホース
８２５、８２６、流出水
８２７、水
８２８、テープないしはリング
【図１】
2004204446.tif 000003
【図２】
2004204446.tif 000004
【図３】
2004204446.tif 000005
【図４】
2004204446.tif 000006
【図５】
2004204446.tif 000007
【図６】
2004204446.tif 000008
【図７】
2004204446.tif 000009
【図８】
2004204446.tif 000010